(57)【特許請求の範囲】
【請求項１】
かみそり本体と、
桟によって画成された刃穴を有する外刃と、
当該外刃の内方に配設されて前記外刃に対して相対移動することで、前記刃穴に挿入させた体毛を切断する内刃と、を備え、
前記外刃が、肌面側に向けて突出した円弧状に形成されるとともに、前記かみそり本体の端部に露出して複数設けられる電気かみそりであって、
前記複数の外刃のうち少なくとも１つの外刃の桟には、肌面上を移動する際に体毛に当接して肌面に対して体毛を起立させる起毛桟が設けられており、
前記起毛桟を、前記かみそり本体の端部に露出する前記複数の外刃のうち、前記かみそり本体の使用時における進行方向一端側に位置する第１の外刃の頂点と、進行方向他端側に位置する第２の外刃の頂点と、の間の範囲のみに設けたことを特徴とする電気かみそり。
【発明の詳細な説明】
【技術分野】
【０００１】
本発明は、電気かみそりに関する。
【背景技術】
【０００２】
従来から、体毛を剃る種々の電気かみそりが開発されている。ここで、体毛の延びている方向と肌面とのなす角度は起毛角と呼ばれているが、起毛角が大きい（例えば、４５°〜６０°）体毛は剃りやすいが、起毛角が小さい（例えば、３０°以下）体毛は剃りにくいという問題がある。この起毛角が小さい体毛に対して、効率的に体毛を起こす（即ち、起毛力の強い）起毛桟を設けた電気かみそりが開発されている（例えば、特許文献１参照）。
【先行技術文献】
【特許文献】
【０００３】
【特許文献１】特許第３０８３５４８号公報
【発明の概要】
【発明が解決しようとする課題】
【０００４】
ところで、上記従来の技術にあっては、この起毛桟が設けられた外刃が複数（３つ）設けられているが、この外刃は通常、肌面側に突出した円弧状に形成されている。
【０００５】
したがって、電気かみそりの使用時には肌への密着力（接触圧）が大きい部位と小さい部位とが存在することとなり、この密着力の大きい部位に上述の起毛桟が設けられていると、肌面にダメージを与えてしまう恐れがあった。
【０００６】
そこで、本発明は、起毛桟を設けることで効率的に体毛を起こすことができつつ、肌面に対する影響を抑制することの可能な電気かみそりを得ることを目的とする。
【課題を解決するための手段】
【０００７】
かかる課題を解決するために、本発明にあっては、かみそり本体と、桟によって画成さ
れた刃穴を有する外刃と、当該外刃の内方に配設されて前記外刃に対して相対移動するこ
とで、前記刃穴に挿入させた体毛を切断する内刃と、を備え、前記外刃が、肌面側に向け
て突出した円弧状に形成されるとともに、前記かみそり本体の端部に露出して複数設けら
れる電気かみそりであって、前記複数の外刃のうち少なくとも１つの外刃の桟には、肌面
上を移動する際に体毛に当接して肌面に対して体毛を起立させる起毛桟が設けられており
、前記起毛桟を、前記かみそり本体の端部に露出する前記複数の外刃のうち、前記かみそり本体の使用時における進行方向一端側に位置する第１の外刃の頂点と、進行方向他端側に位置する第２の外刃の頂点と、の間の範囲のみに設けたことを特徴とする。
【発明の効果】
【０００８】
本発明によれば、起毛桟をかみそり本体の使用時における進行方向一端側に位置する第１の外刃の頂点と進行方向他端側に位置する第２の外刃の頂点との間の範囲に設けたため、起毛桟により効率的に体毛を起こすことができつつ、肌面に対する影響（ダメージ）を抑制することができる。
【図面の簡単な説明】
【０００９】
【図１】本発明の第１実施形態にかかる電気かみそりを示した正面図である。
【図２】図１に示す刃部の内刃を示した斜視図である。
【図３】図１のヘッド部を示した斜視図である。
【図４】図３の外刃の説明図である。
【図５】図１の外刃の一部を拡大した斜視図である。
【図６】（ａ）は図５のＡ−Ａ断面図、（ｂ）は短手方向端の拡大断面図である。
【図７】（ａ）は図５のＢ−Ｂ断面図、（ｂ）は起毛部の拡大断面図である。
【図８】図７の長手方向桟周辺を拡大した斜視図である。
【図９】図８のＣ−Ｃ断面図である。
【図１０】図３の外刃（第１〜第３のネット刃）を側方から見た概略図である。
【図１１】本発明の第２実施形態にかかる外刃（第１および第２のネット刃）を側方から視た概略図である。
【発明を実施するための形態】
【００１０】
以下、本発明の実施形態について図面を参照しつつ詳細に説明する。なお、以下の複数の実施形態には、同様の構成要素が含まれている。よって、以下では、それら同様の構成要素には共通の符号を付与するとともに、重複する説明を省略する。
【００１１】
［第１実施形態］
図１〜１０は、本発明の第１実施形態にかかる電気かみそりを示した図である。
【００１２】
図１に示すように、本実施形態の電気かみそり１は、かみそり本体３と、このかみそり本体３の先端に設けられる刃部４と、刃部４を動作させる図示せぬ駆動部と、を主体に構成されている。
【００１３】
かみそり本体３は、本実施形態では使用者が把持するグリップ部７と、該グリップ部７の上端部に連結されるヘッド部５とに分割されており、体毛を処理する刃部４が前記ヘッド部５に、駆動部により刃部４を動作させる（電源をオン、オフさせる）押圧式のスイッチ９が前記グリップ部７に設けられている。
【００１４】
刃部４は、図２および３に示すように、かみそり本体３の端部に露出して設けられる外刃１１と、この外刃１１の内方（外刃１１の下側）に配設されて、長手方向２３に往復移動する内刃１３とを備えている。
【００１５】
そして、本実施形態の外刃１１にあっては、第１のネット刃１７と、第２のネット刃１９と、第３のネット刃２１とから成り、電気かみそり１の進行方向（剃り方向）となる短手方向２５に沿って並列配置されるようになっている。具体的には、これら第１〜第３のネット刃１７、１９、２１は、前記短手方向２５と直交する長手方向２３に沿って延在しており、短手方向２５の両端（一端側と他端側）に第１のネット刃１７と第２のネット刃１９とが配置され、これら第１のネット刃１７と第２のネット刃１９との間に第３のネット刃２１が配置されている。
【００１６】
外刃１１を構成する第１〜第３のネット刃１７、１９、２１は、図４に示すように、使用者の肌側（本実施形態では上方）に向けて突出した円弧状に形成される。本実施形態では、第１〜第３のネット刃１７、１９、２１の短手方向２５に沿う断面が、それぞれ頂部２７および両側部２９、２９を有した逆Ｕ字状に形成されており、内刃１３は、このネット刃１７、１９、２１の内側形状に沿った形に形成されている。
【００１７】
外刃１１には、図５に示すように、それぞれ無数の刃穴３６が形成されており、これらの刃穴３６より取り込んだ体毛を、内刃１３が外刃１１に対して相対移動（長手方向２３に往復移動）することで、これら内刃１３と外刃１１とが協働して体毛を切断するようになっている。
【００１８】
刃穴３６は、その周囲を桟３２によって区画することにより形成されている。すなわち、外刃１１の桟３２は、短手方向２５に沿う方向に逆Ｕ字状に延在する横桟３５と、長手方向２３に沿う方向に延在する縦桟３０とを備えており、これら横桟３５および縦桟３０によって刃穴３６が画成されている。この刃穴３６は、体毛を挿入可能な大きさに形成されている。なお、同図中、一点鎖線Ｙは、頂部２７の短手方向２５の中心を通る中心線（頂点）である。
【００１９】
ここで、本実施形態の縦桟３０は、後述する起毛部４５が設けられた起毛桟３３と、この起毛桟３３よりも起毛力の弱い一般縦桟３１とを備えている。
【００２０】
一般縦桟３１は、図６（ａ）、（ｂ）に示すように、断面略平板状に形成されており、一般縦桟３１の短手方向端（起毛部）４１は、曲率半径Ｒ１の断面半円状に形成されている。このＲ１は、例えば１０μｍが好ましい。なお、横桟３５の表面３７は一般縦桟３１の表面４２よりも肌側に近づけており、一般縦桟３１の表面４２と横桟３５との上下距離はＬ１に設定されている。
【００２１】
一方、起毛桟３３は、図７（ａ）に示すように、左右対称の断面略Ｕ字状に形成されており、短手方向の中央部外面４９は平坦に形成され、この中央部外面４９から両端に行くにしたがって外刃１１の外側（図中上方）に向かって斜めに立ち上がる屈曲部４７が設けられ、この屈曲部４７の先端が先細り形状の起毛部４５となっている。
【００２２】
また、屈曲部４７のうち上側の面は傾斜上面５１であり、下側の面は傾斜下面５３になっている。すなわち、起毛桟３３は、中央部外面４９、傾斜上面５１、傾斜下面５３および底面５５によって画成されている。また、屈曲部４７の短手方向端４３と横桟３５の表面３７との上下距離はＬ２に設定されており、Ｌ２<Ｌ１の大小関係でオフセット配置されている。このＬ１とＬ２との差は、例えば１０μｍが好ましい。
【００２３】
さらに、図７（ｂ）に示すように、屈曲部４７の短手方向端４３は、曲率半径Ｒ２の断面半円状に形成されており、Ｒ２<Ｒ１の大小関係に設定されている。このＲ２は、例えば３μｍが好ましい。ここで、二点鎖線で示す短手方向の基準線５７と傾斜上面５１とのなす逃げ角度αは、前述した図６（ａ）のように一般縦桟３１の表面４１と前記基準線５７とのなす逃げ角度（０°）よりも大きく設定されている。
【００２４】
したがって、本実施形態の外刃１１によれば、一般縦桟３１よりも起毛桟３３の方が、肌とのなす角度が小さく寝た状態にある体毛を効率的に起こすことができる。即ち、一般縦桟３１に対して起毛桟３３の起毛力が強くなっている。
【００２５】
図８および９に示すように、起毛桟３３の長手方向端部６１は、横桟３５の側壁面５９から長手方向に向けて断面略直線状に延びており、長手方向端部６１と長手方向中央部６３とは、境界部６５を介してなだらかに湾曲して連結されている。この境界部６５の曲率半径は例えば１０μｍが好ましい。
【００２６】
このように、本実施形態の外刃１１によれば、一般縦桟３１よりも起毛力の強い起毛桟３３によって、起毛角が小さい（例えば、３０°以下）体毛も効率的に起毛させることができるようになる。しかしながら、上述したように、この外刃１１は肌側に突出した円弧状に形成されているため、電気かみそり１の使用時には肌への密着力（接触圧）が大きい部位と小さい部位とが存在することとなり、これら第１〜第３のネット刃１７、１９、２１に起毛桟３３が均等に配置されていると肌に与える影響（ダメージ）が大きくなってしまう。
【００２７】
特に、複数の外刃（本実施形態では、第１〜第３のネット刃１７、１９、２１）を有した電気かみそり１にあっては、使用時における肌に最初に当接する部位（即ち、進行方向となる短手方向２５の端部に位置する第１のネット刃１７あるいは第２のネット刃１９の短手方向外側のＲ部分）が肌への密着力が大きく、この密着力の大きい部位に起毛桟３３が設けられていると、肌へダメージを与えてしまう。
【００２８】
そこで、図１０に示すように、本実施形態では起毛桟３３を、電気かみそり１（かみそり本体３）の使用時における進行方向一端側に位置する第１のネット刃１７の頂点Ｙと、進行方向他端側に位置する第２のネット刃１９の頂点Ｙと、の間の範囲Ｘに設けるようにしている。
【００２９】
具体的には、本実施形態では、第３のネット刃２１の縦桟３０を上述の一般縦桟３１と起毛桟３３とで構成するとともに、第１のネット刃１７および第２のネット刃１９の縦桟３０を一般縦桟３１のみで構している。
【００３０】
したがって、本実施形態の電気かみそり１によれば、第１のネット刃１７の短手方向外側のＲ部分１７ａおよび第２のネット刃１９の短手方向外側のＲ部分１９ａには、起毛桟３３が設けられないため、電気かみそり１の使用時に外刃１１を短手方向２５の一方方向および他方方向のいずれの方向に移動させても、肌面３７に対するダメージを抑制することができるようになる。
【００３１】
そして、これら第１のネット刃１７と第２のネット刃１９の間には、起毛桟３３が設けられた第３のネット刃２１が配置されているため、電気かみそり１をスライドさせて体毛を処理する一連の動作で、第３のネット刃２１に肌面３７が当接し、この第３のネット刃２１に設けられた起毛桟３３によって、肌面３７とのなす角度が小さく寝た状態にある体毛を効率的に起こすことができるようになる。
【００３２】
以上、詳細に亘って説明してきたように、本実施形態の電気かみそり１では、起毛角が小さい体毛を効率的に起毛させる起毛桟３３を、電気かみそり１（かみそり本体３）の使用時における進行方向一端側に位置する第１のネット刃１７の頂点Ｙと、進行方向他端側に位置する第２のネット刃１９の頂点Ｙと、の間の範囲Ｘに設けている。したがって、起毛桟３３により効率的に体毛を起こすことができつつ、肌面３７に対する影響（ダメージ）を抑制することができる。
【００３３】
すなわち、一般縦桟３１の短手方向端（起毛部）４１に対して、起毛力が強くなるように設定された起毛部４５を有した起毛桟３３を、肌面３７との密着力が大きくなるＲ部分１７ａ、１９ａに配置させないことで、起毛桟３３による肌面３７への影響（ダメージ）を低減できる。
【００３４】
特に、本実施形態では、電気かみそり１を、前記短手方向２５の一方方向および他方方向のいずれの方向に移動させても、起毛桟３３により効率的に起毛させつつ、肌へのダメージを抑制できるため、使用者の使い勝手が良好となるという効果がある。
【００３５】
また、本実施形態では、桟３２は、外刃１１の長手方向２３に沿って延設される縦桟３０と、短手方向２５に沿って延設される横桟３５とからなり、前記縦桟３０に起毛部４５を設けた起毛桟３３を配置している。そのため、起毛桟３３によって起立させた体毛を刃穴３６に挿入しやすくなって、体毛を剃りやすくすることができるという効果がある。
【００３６】
さらにまた、本実施形態では、起毛桟３３の起毛部４５を、外刃１１の外側（図中上方）に向かって斜めに立ち上がる先細り状としている。このように、短手方向端４３を断面テーパ状（先細り形状）にして起毛部４５とすることで、簡素な形状で起毛部４５を形成することができる。また、起毛部４５を外刃１１の外側（図中上方）に向かって斜めに立ち上がる先細り状とすることで、起毛角の小さい体毛が、起毛部４５と肌との間に潜り込んでしまうのを抑制することができ、寝ている体毛をより確実に起立させることができる。
【００３７】
また、本実施形態では、起毛桟３３における長手方向端部６１は断面略直線状に形成し、長手方向中央部６３に屈曲部４７を設け、これらの長手方向端部６１と長手方向中央部６３との境界部６５をなだらかに湾曲させて連結させている。このように、起毛桟３３における長手方向端部６１と長手方向中央部６３との境界部６５をなだらかに湾曲させて連結させることにより、外刃１１を肌面３７上に沿って移動させたときに、境界部６５が肌面３７に与える影響（ダメージ）を抑制することができる。
【００３８】
［第２実施形態］
次に、本発明の第２実施形態について図面を参照して説明する。図１１は、本実施形態にかかる電気かみそりの外刃を示した図である。
【００３９】
本実施形態の電気かみそり１Ａは、上記第１実施形態と同様にして、かみそり本体３と、このかみそり本体３の先端に設けられる刃部４と、刃部４を動作させる図示せぬ駆動部と、を主体に構成される。
【００４０】
ここで、本実施形態が上記第１実施形態と主に異なる点は、刃部４の外刃１１Ａが、第１のネット刃１７と、第２のネット刃１９とで構成されたことにある。
【００４１】
具体的には、これら第１および第２のネット刃１７、１９は、電気かみそり１Ａの進行方向（剃り方向）となる短手方向２５に沿って並列配置されており、当該短手方向２５の一端側に第１のネット１７が、他端側に第２のネット刃１９が配置されている。
【００４２】
そして、起毛角が小さい体毛を効率的に起毛させる起毛桟３３を、第１のネット刃１７の頂点Ｙと、第２のネット刃１９の頂点Ｙと、の間の範囲Ｘ１に設けている。
【００４３】
したがって、本実施形態では、起毛桟３３が、第１のネット刃１７の短手方向内側のＲ部分１７ｂと、第２のネット刃１９の短手方向内側のＲ部分１９ｂと、のうち少なくとも何れかに設けられることになる。
【００４４】
以上の構成の本実施形態の電気かみそり１Ａによっても、上記第１実施形態と同様にして、起毛桟３３によって効率的に体毛を起こすことができつつ、肌面３７との密着力が大きくなるＲ部分１７ａ、１９ａには起毛桟３３が設けられないため、肌面３７に対する影響（ダメージ）を抑制することができる。
【００４５】
以上、本発明の好適な実施形態について説明したが、本発明は上記実施形態には限定されず、種々の変形が可能である。例えば、上記第１実施形態では、起毛桟３３を第３のネット刃２１のみに設けたが、第１のネット刃１７の短手方向内側のＲ部分１７ｂと、第２のネット刃１９の短手方向内側のＲ部分１９ｂにさらに設ける構成としてもよい。
【００４６】
また、上記第１実施形態では、側面視逆Ｕ字状の第１〜第３のネット刃１７、１９、２１が、電気かみそり１の進行方向（剃り方向）となる短手方向２５に沿って並列配置されていたが、例えば、従来技術のような形態（第１〜第３のネット刃がトライアングル状に配置されたもの）にあっても、本発明を適用することができる。
【符号の説明】
【００４７】
１    電気かみそり
３    かみそり本体
１１  外刃
１３  内刃
１７  第１のネット刃（第１の外刃）
１９  第２のネット刃（第２の外刃）
２１  第３のネット刃（第３の外刃）
３２  桟
３３  起毛桟
３６  刃穴
３７  肌面
Ｘ    範囲
Ｙ    頂点
【図１】
0005385833.tif 000002
【図２】
0005385833.tif 000003
【図３】
0005385833.tif 000004
【図４】
0005385833.tif 000005
【図５】
0005385833.tif 000006
【図６】
0005385833.tif 000007
【図７】
0005385833.tif 000008
【図８】
0005385833.tif 000009
【図９】
0005385833.tif 000010
【図１０】
0005385833.tif 000011
【図１１】
0005385833.tif 000012